(57)【要約】【課題】本発明の課題は、組立性が良好で、容易に外れることのないパネルを有する筆記具の軸筒を簡単な構造で提供することである。【解決手段】本発明は、軸筒本体に、パネルを装着してなる筆記具の軸筒であって、前記軸筒本体の周方向の異なる２箇所に、前記軸筒本体の外表面よりも一段小さく、前記軸筒本体の先端部まで延びる取付部を設け、前記一方の取付部に設けた係合孔に、一方のパネルに設けた係合突部を係合し、前記他方の取付部に設けた係合孔に、他方のパネルに設けた係合突部を係合するとともに、前記一方のパネルの係合突部と他方のパネルの係合突部とを係合して、前記一方及び他方の取付部に、前記一方及び他方のパネルを装着したことを特徴とする。【選択図】      図２
2013091301.tif 000002
【特許請求の範囲】
【請求項１】
軸筒本体に、パネルを装着してなる筆記具の軸筒であって、前記軸筒本体の周方向の異なる２箇所に、前記軸筒本体の外表面よりも一段小さく、前記軸筒本体の先端部まで延びる取付部を設け、前記一方の取付部に設けた係合孔に、一方のパネルに設けた係合突部を係合し、前記他方の取付部に設けた係合孔に、他方のパネルに設けた係合突部を係合するとともに、前記一方のパネルの係合突部と他方のパネルの係合突部とを係合して、前記一方及び他方の取付部に、前記一方及び他方のパネルを装着したことを特徴とする筆記具の軸筒。
【請求項２】
前記軸筒本体の先端部に、口先部材を着脱自在に装着し、前記口先部材とパネル間に、リング体を着脱自在に設けるとともに、前記一方及び他方のパネルの先端面が、前方に向かって突出し、先端に向かって小さくなつ凸面形状又は凹面形状からなり、前記リング体に、前記一方及び他方のパネルの先端面に対応する凹面形状又は凸面形状を設けてあることを特徴とする請求項１に記載の筆記具の軸筒。
【発明の詳細な説明】
【技術分野】
【０００１】
本発明は、軸筒本体に、パネルを装着してなる筆記具の軸筒に関する。
【背景技術】
【０００２】
従来、筆記具の軸筒において、軸筒に色や文字、図形などを施す場合、軸筒の表面に直接印刷などを施すことが一般的であったが、擦過などによって文字や図形などが剥がれたりすることが問題であった。
【０００３】
また、実開平０５−５３９９４号公報「カレンダー付き筆記用具」では、軸筒に凹部を設け、この凹部に、文字を印刷したシールを貼着してなる筆記具の軸筒が開示されているが、凹部とすることで、擦過し難い構造ではあるが、剥がれてしまう問題は払拭されていない。
【０００４】
こうした問題を鑑みて、特開２００１−２６１９２号公報「筆記具の軸筒及びその軸筒の製造方法」では、外軸に直接文字、図形などを施すのではなく、透明材料から形成された外軸と内軸との間に装飾を施すことが開示されている。
【先行技術文献】
【特許文献】
【０００５】
【特許文献１】実開平０５−５３９９４号公報
【特許文献２】特開２００１−２６１９２号公報
【発明の概要】
【発明が解決しようとする課題】
【０００６】
ところで、筆記具において、所望の色や形、ボール径等、使用者の好みは様々であり、こうした使用者の要望を答えるように、同一形態であっても筆記色や軸筒色を複数種類、揃える必要がある。
【０００７】
本発明はこれらの従来技術に鑑みてなされたものであって、組立性が良好で、容易に外れることのないパネルを有する筆記具の軸筒を簡単な構造で提供することにある。
【課題を解決するための手段】
【０００８】
本発明は、前記問題を解決するために、軸筒本体に、パネルを装着してなる筆記具の軸筒であって、前記軸筒本体の周方向の異なる２箇所に、前記軸筒本体の外表面よりも一段小さく、前記軸筒本体の先端部まで延びる取付部を設け、前記一方の取付部に設けた係合孔に、一方のパネルに設けた係合突部を係合し、前記他方の取付部に設けた係合孔に、他方のパネルに設けた係合突部を係合するとともに、前記一方のパネルの係合突部と他方のパネルの係合突部とを係合して、前記一方及び他方の取付部に、前記一方及び他方のパネルを装着したことを特徴とする。
【０００９】
また、前記軸筒本体の先端部に、口先部材を着脱自在に装着し、前記口先部材とパネル間に、リング体を着脱自在に設けるとともに、前記一方及び他方のパネルの先端面が、前方に向かって突出し、先端に向かって小さくなつ凸面形状又は凹面形状からなり、前記リング体に、前記一方及び他方のパネルの先端面に対応する凹面形状又は凸面形状を設けてあることを特徴とする。
【００１０】
本願発明の第１の構成によれば、軸筒本体に、パネルを装着してなる筆記具の軸筒であって、前記軸筒本体の周方向の異なる２箇所に、前記軸筒本体の外表面よりも一段小さく、前記軸筒本体の先端部まで延びる取付部を設け、前記一方の取付部に設けた係合孔に、一方のパネルに設けた係合突部を挿通し、前記他方の取付部に設けた係合孔に、他方のパネルに設けた係合突部を挿通するとともに、前記一方のパネルの係合突部と他方のパネルの係合突部とを係合して、前記一方及び他方の取付部に、前記一方及び他方のパネルを装着してあるため、パネルを接着剤など必要せずに軸筒に装着できるので、簡易的、且つ一方と他方のパネルが係合しているため、容易に外れることを防止して装着することができる。
【００１１】
本願発明の第２の構成によれば、前記軸筒本体の先端部に、口先部材を着脱自在に装着し、前記口先部材とパネル間に、リング体を着脱自在に設けるとともに、前記一方及び他方のパネルの先端面が、前方に向かって突出し、先端に向かって小さくなつ凸面形状又は凹面形状からなり、前記リング体に、前記一方及び他方のパネルの先端面に対応する凹面形状又は凸面形状を設けてあるので、装飾性の高いパネルを着脱自在に取り付けることができるとともに、パネルの先端面において、接触面積を増加してパネルのガタツキを抑制することができる。
【００１２】
本発明のパネルには、シリコーンゴム、ブチルゴム、フッ素ゴム、熱可塑性エラストマー等、ゴム弾性変形可能なゴム弾性体やＰＣ樹脂、ＰＰ樹脂、ＡＳ樹脂等の樹脂材料などのなかから適宜選定すればよく、軸筒本体とパネルを同種又は異種で形成してあってもよい。
【００１３】
また、本発明のパネルの色は、透明、半透明、着色透明、不透明など特に限定されるものではないが、軸筒本体とは異なる色として装飾性を高めることが好ましく、軸筒の取付部に文字や模様などの装飾を施し、透明、半透明、着色透明のパネルを取り付けて、擦過などによって文字や図形などが剥がれたりすることなく装飾を維持することが最も好ましい。
【発明の効果】
【００１４】
本発明は、組立性が良好で、容易に外れることのないパネルを有する筆記具の軸筒を簡単な構造で提供することができた。
【図面の簡単な説明】
【００１５】
【図１】実施例１の筆記具の軸筒を示す外観図である。
【図２】図１の９０度方向を示す縦断面図である。
【図３】図１における外観図である。
【図４】図３におけるパネルを装着前の状態を示す外観図である。
【図５】一方のパネルの背面から見た図である。
【図６】図２における一方及び他方のパネルの装着した状態を示す図である。
【発明を実施するための形態】
【００１６】
次に図面を参照しながら、本発明の筆記具の軸筒の実施例を説明するが、本発明は以下の実施形態に限定されるものではない。
【００１７】
実施例１
図１から図６に示す実施例１の筆記具の軸筒１は、前軸２の係止突部２Ｅと後軸３の係止孔３Ｅを乗り越し嵌合によって装着し、前軸２に口先部材５を螺着して得た軸筒本体内に、頭部を複数に分割して拡開可能に形成したチャック１１と、チャック１１の後部にコレクター１２と、チャック１１の後部に圧入固着したパイプ状の芯タンク１６と、締リング１３と、締めリング１３を受け止めるワッシャー１４と、ワッシャー１４と芯タンク１６の間に張架したスプリング１５とからなる機構部が構成し、軸筒本体を長手方向へ振って重量体１７の重力を前軸２の先端開口部方向へ作用すること、又は後軸３から突出し、コイルスプリング１０によって、軸筒本体の後端側に付勢して配設したノック体８を押圧することで、鉛芯（図示せず）を繰り出し可能としたシャープペンシルの軸筒である。また、口先部材５は、鉛芯を軽く保持する芯ホルダー１８が内蔵され、ノック体８には、消しゴムホルダー９に着脱自在に装着してあり、消しゴムホルダー９には消しゴムＫを装着している。
【００１８】
また、後軸３の後端部には、クリップ１９をコイルスプリング２０によって、常時、クリップ１９の先端部の内壁１９Ａを後軸３の外表面に押圧して付設してある。このクリップ１９の開閉操作を説明すると、クリップ１９の先端部の内壁１９Ａが閉じた状態からクリップ１９の後端部１９Ｂを下方に押圧すると、後軸３の係合突部とクリップ１９の係合孔部との連結部Ｒを支点にしてクリップ１９の先端部が上方に開くとともにクリップ１９の後方でコイルスプリング２０を圧縮した状態となる。また、クリップ１９の後方の押圧を止めればコイルスプリング２０に押されてクリップ１９の先端部の内壁１９Ａが閉じられ元の状態に復帰する。
【００１９】
前軸２及び後軸３には、前軸２と後軸３とに連続的、かつ外表面が一段小さく、前軸２の先端まで延びる一方の取付部２Ａ、３Ａを設け、この取付部２Ａ、３Ａに芯の濃さを示す文字の装飾Ｈを施してあり、この一方の取付部２Ａ、３Ａに無色透明のパネル６を取り付けてある。
【００２０】
具体的には、先ず、一方の取付部２Ａ、３Ａに、長手方向に沿って延び、長手方向の異なる位置に設けた挿通孔２Ｃ、３Ｃに、一方のパネル６に設けた、先端側の挿通孔２Ｂに係合突部６Ａを挿通すると同時に、後端側の係合孔３Ｃに係合突部６Ｂを挿通する。
【００２１】
一方のパネルの前方側の係合突部６Ａには、軸筒本体の先端側に延びる前方爪部６Ｅと、後方側の係合突部６Ｂには、軸筒本体の後端側に延びる後方爪部６Ｆを設けてある。また、他方のパネル７の前方側の係合突部７Ａには、軸筒本体の後端側に延びる前方爪部７Ｅと、後方側の係合突部７Ｂには、軸筒本体の先端側に延びる後方爪部７Ｆを設けてある。
【００２２】
一方のパネル６及び他方のパネル７の前方側の係合突部６Ａ、７Ａと、後方側の係合突部６Ｂ、７Ｂとを、対応する前後の係合孔６Ｃ、７Ｃ、６Ｄ、７Ｄに係合すると、一方のパネル６の前方側の係合突部６Ａに設けた爪部６Ｅと、他方のパネル７の前方側の係合突部７Ａに設けた爪部７Ｅとが乗り越し係合する。同様に、一方のパネル６の後方側の係合突部６Ｂに設けた爪部６Ｆと、他方のパネル７の後方側の係合突部７Ｂに設けた爪部７Ｆとが乗り越し係合して、一方のパネル６と他方のパネル７を装着してある。
【００２３】
より具体的には、一方のパネルの前方側の係合突部６Ａは、長手方向及び径方向の異なる位置に、２箇所、係合突部６Ａａ、６Ａｂを設けてあり、後方側の係合突部６Ｂも同様に、長手方向及び径方向の異なる位置に、２箇所、係合突部６Ｂａ、６Ｂｂを設けてある。こうした構造とすることで、一方のパネル６と他方のパネル７を同形としてあっても、一方のパネル６の前方側の係合突部６Ａに設けた爪部６Ｅと、他方のパネル７の前方側の係合突部７Ａに設けた爪部７Ｅとが乗り越し係合し、一方のパネル６の後方側の係合突部６Ｂに設けた爪部６Ｆと、他方のパネル７の後方側の係合突部７Ｂに設けた爪部７Ｆとが乗り越し係合して、一方のパネル６と他方のパネル７を装着することができる。
【００２４】
その後、リング体４を配設した後、口先部材５を順次装着すると、口先部材５の装着により、パネル６、７がリング体４と後軸３に設けた取付部３Ａの段部３Ｆ間に配設される。この時、パネル６の先端面６Ｃは、前方に向かって突出し、先端に向かって小さくなつ凸曲面形状としてあり、リング体４には、パネル６の先端面６Ｃの凸曲面形状に対応する凹曲面形状の凹部４Ａを設けてあり、パネル６の凸曲面形状とリング体４の凹曲面形状の凹部４Ａに対応してパネル６を装着してある。また、パネル６の後端面６Ｄも凸曲面形状としてあり、取付部３Ａの後端部に、パネル６の後端面６Ｄの凸曲面形状に対応する凹曲面形状の後方段部３Ｆを設けてある。
【００２５】
尚、上記実施例は、前軸と後軸を乗り越し係合にて軸筒本体を構成しているが、前軸と後軸を螺着する、或いは、前軸と後軸を一体にして軸筒本体を構成する等、特に限定されるものではない。
【００２６】
また、パネルの形状も特に限定されるものではないが、パネルを取り付けた後、軸筒本体の外表面とパネルの外表面に段差がない、或いは段差の少ない略面一状とすることが好ましく、また、軸筒本体の外表面とパネルの外表面が、横断面において略正円形にて連続することが好ましい。
【００２７】
また、一方のパネルの係合突部と他方のパネルの係合突部とを係合方法は、特に限定されるものではなく、凹凸係合、圧入係合など、パネルを取り付けた後、一方と他方のパネルが係合によって、容易に外れない構造であれば特に限定されるものではない。また、パネルは、リング体、口先部材を配設した後に装着することもできるが、リング体と圧接することが好ましく、パネルを装着後にリング体、口先部材を配設することが好ましい。
【産業上の利用可能性】
【００２８】
本発明の筆記具の軸筒は、ノック式シャープペンシルに限定されるものではなく、ボールペン等、種々の筆記具の軸筒に利用できるものである。
【符号の説明】
【００２９】
１  筆記具の軸筒
２  前軸
２Ａ、２Ｂ  取付部
２Ｃ、２Ｄ  挿通孔
２Ｅ  係止突部
３  後軸
３Ａ、３Ｂ  取付部
３Ｃ、３Ｄ  挿通孔
３Ｅ  係止孔
３Ｆ、３Ｇ  後端段部
４  リング体
４Ａ  凹部
５  口先部材
６、７  パネル
６Ａ、７Ａ  係合突部
６Ｂ、７Ｂ  係合突部
６Ｃ、７Ｃ  先端面
６Ｄ、７Ｄ  後端面
６Ｅ、７Ｅ  前方爪部
６Ｆ、７Ｆ  後方爪部
８  ノック体
９  消しゴムホルダー
１１  チャック
１６  芯タンク
１９  クリップ
【図１】
2013091301.tif 000003
【図２】
2013091301.tif 000004
【図３】
2013091301.tif 000005
【図４】
2013091301.tif 000006
【図５】
2013091301.tif 000007
【図６】
2013091301.tif 000008